(57)【要約】【課題】小口径の埋込穴に埋設可能なダウンライトにおいて、埋込高さを抑えつつ、器具温度を低減し、且つコストを低減する。【解決手段】ダウンライト１は、下面に開口を有する器具本体２の内部に、この開口縁部を覆う枠体と一体成形された遮熱板３を備え、遮熱板３の内部に下面の開口につば部４１を有する反射板４を備える。ダウンライト１は、遮熱板３と反射板４との間に反射板４のつば部以外の外面の略全てに亘って空間１５が形成され、遮熱板３と反射板４のつば部との接触を全周でなく、部分的にすることにより、反射板４との接触部から遮熱板３へ伝達される熱を低減でき、且つ遮熱板３と反射板４間の空間１５の対流により、器具の温度が低減される。これにより、器具本体２と反射板４との間に複数の遮熱板３を設ける必要がなくなるため、器具の埋め込み高さを抑え、コストの低減が可能となる。【選択図】図１
2007095393.tif 000002
【特許請求の範囲】
【請求項１】
天井に形成された埋込穴内に埋設され、下面に開口を有する器具本体と、この器具本体の内部に設けられ、熱を遮蔽する遮熱板と、前記遮熱板の内部に設けられ、下面に開口を有し、この開口につば部を有する反射板と、前記反射板の内部に発光部が配置されたランプと、前記器具本体の開口縁部を覆う枠体と、を備えるダウンライトにおいて、
前記遮熱板と枠体とが一体成形され、
前記反射板と遮熱板との間に空間を形成したことを特徴とするダウンライト。
【請求項２】
前記空間は、前記反射板のつば部以外の外面の略全てに亘って形成されていることを特徴とする請求項１に記載のダウンライト。
【請求項３】
前記反射板のつば部と遮熱板の接触が全周でなく、部分的であることを特徴とする請求項１又は請求項２に記載のダウンライト。
【発明の詳細な説明】
【技術分野】
【０００１】
本発明は、天井に埋設するダウンライトに関する。
【背景技術】
【０００２】
従来から、この種のダウンライトは、例えば図１３に示すように、天井板１８に形成された埋込穴１９に埋設され、上面に天板９を有する器具本体２と、この器具本体２の内部に設けられた反射板４と、この反射板４の内部に発光部を配置されたランプ５と、このランプ５を装着するためのソケット６と、天板９の下面に配設され、ランプ５にソケット６を介して電源を供給するための端子台８とを備えたものがある。ここに、反射板４は、器具本体２にナット１３により取付けられている。ソケット６は、器具本体２の側面上部に設けられた挿通口２１と反射板４の側面上部に設けられ、ソケットパッキン１４を配設された挿通口４２を横切って取付けられている。室内の気密は、器具本体２の下面に設けられた開口の縁部を覆う枠体３２と器具本体２の下面の開口の縁部に設けられたつば部２２に配設された本体パッキン１１により確保されている。器具外郭や端子台８に差し込む電源電線の温度を低減するために、天板９により断熱材に覆われる部分の容積を広く確保するようにしている。
【０００３】
また、同様のダウンライトにおいて、複数の遮熱板が器具本体と器具本体の内部に設けられた反射板との間にスペーサにより上下方向に間隔を保って配設され、反射板の外面には略全体に断熱材が吹付けられ、これにより、器具の温度を低減させるものが知られている（例えば特許文献１参照）。
【特許文献１】特開昭６２−７６２１４号公報
【発明の開示】
【発明が解決しようとする課題】
【０００４】
しかしながら、上述したような従来のダウンライトにおいて、前者の構造では、天板９は幅が埋込穴の径に合わされ、断熱材に覆われる部分の容積を広く確保するために、長さを長くされる。この長い天板９を小口径の埋込穴より挿入するために、高い天井裏の埋め込み高さが必要となる。後者の特許文献１に示す構造では、器具自身の高さが高くなるため、器具の埋込高さが高くなる。これにより、両者とも天井裏のスペースが狭い場所には設置できなかった。また、後者は、遮熱板が別部品となり、部品点数が増え、反射板の外面に断熱材を吹付ける工程も増えるため、組立工数もかかり、コストの低減が困難であった。
【０００５】
本発明は、上記従来例の問題を解決するためになされたものであり、埋め込み高さを抑えつつ、器具温度を低減し、且つコストも抑えることができ、小口径の埋込穴に埋設可能なダウンライトを提供することを目的とする。
【課題を解決するための手段】
【０００６】
上記目的を達成するために請求項１の発明は、天井に形成された埋込穴内に埋設され、下面に開口を有する器具本体と、この器具本体の内部に設けられ、熱を遮蔽する遮熱板と、遮熱板の内部に設けられ、下面に開口を有し、この開口につば部を有する反射板と、反射板の内部に発光部が配置されたランプと、器具本体の開口縁部を覆う枠体と、を備えるダウンライトにおいて、遮熱板と枠体とが一体成形され、反射板と遮熱板との間に空間を形成したものである。
【０００７】
請求項２の発明は、請求項１に記載のダウンライトにおいて、空間は、反射板のつば部以外の外面の略全てに亘って形成されているものである。
【０００８】
請求項３の発明は、請求項１又は請求項２に記載のダウンライトにおいて、反射板のつば部と遮熱板の接触が全周でなく、部分的であるものである。
【発明の効果】
【０００９】
請求項１の発明によれば、反射板、遮熱板、及び器具本体のそれぞれの間の空間において断熱できるため、ダウンライトの器具温度の低減が可能となる。これにより、器具本体と反射板との間に複数の遮熱板をスペーサにより上下方向に間隔を保って設ける必要がなく、器具高さを抑えることが可能となり、天板の長さも短くできるため、小口径の埋込穴であっても器具の埋め込み高さが抑えられる。また、枠体と遮熱板とを一体成形することにより、部品点数が削減され、組立工数の低減、コストの低減が可能となる。
【００１０】
請求項２の発明によれば、反射板の外面の略全てに亘って形成された空間において放熱できるため、器具の温度が低減される。
【００１１】
請求項３の発明によれば、反射板と遮熱板との接触部分が少なくなるので、遮熱板と反射板との接触部から遮熱板へ伝達する熱を低減できる。また、反射板と遮熱板との空間は、密閉されていないため、空間の対流により器具の温度が低減される。
【発明を実施するための最良の形態】
【００１２】
本発明の一実施の形態に係るダウンライトについて、図面を参照して説明する。図１は、実施形態１によるダウンライト１を示し、図２は、図１のＡ部を示す。図３は、一部分解したダウンライト１を示す。ダウンライト１は、天井板１８に形成された埋込穴１９に埋設され、下面の開口より室内に光を照射する照明器具である。ダウンライト１は、下面に開口を有する略円筒状の器具本体２を備え、この器具本体２の内部に熱を遮蔽する遮熱板３を備え、この遮熱板３の内部に下面に開口を有する略椀形状の反射板４を備える。ダウンライト１は、反射板４の内部にランプ５の発光部を配置し、このランプ５を装着するためのソケット６と、このソケット６を固定するソケット台７と、ランプ５にソケット６を介して電源を供給するための端子台８とをさらに備える。
【００１３】
器具本体２は、上面に略矩形板状の天板９を備え、側面上部にソケット６を挿通するための挿通口２１を有し、側面に外側へ突出した取付金具１０（図３参照）を有する。取付金具１０は、埋込穴１９を挿通するときには、器具本体２の内部に収納され、埋込穴１９を挿通して天井裏にあるとき、器具本体２の側面より外側へ突出する。器具本体２は、下面の開口縁部につば部２２を有し、このつば部２２は、全周を本体パッキン１１に覆われている。器具本体２は、埋込穴１９に埋設されると、取付金具１０と器具本体２のつば部２２により埋込穴１９の縁部の天井板１８を挟むことによって固定される。器具本体２は、内部上面より下方に突出するビス１２を有し、このビス１２に、遮熱板３と反射板４とが取り付けられ、ナット１３により固定される。天板９は、器具本体２の上面に長手方向一端部が取付けられ、該天板９の他端部は、器具本体２の挿通口２１を有する側へ突出するように配置されている。この器具本体２より突出した天板９の端部の下面に端子台８が取付けられている。ダウンライト１が天井板１８に取り付けられたとき、天板９は、天井裏に施工された断熱材２０を押し上げる。
【００１４】
遮熱板３は、反射板４の外面を覆う遮熱本体３１と、この遮熱本体３１と連続的に設けられ、器具本体２の開口縁部を覆う枠体３２とから成る。遮熱板３は、側面上部にソケット６を挿通するための挿通口３３を有し、この遮熱板３の挿通口３３の縁部にソケットパッキン１４が配設され、このソケットパッキン１４により室内と天井裏との間が遮蔽されている。また、枠体３２は、器具本体２に配設された本体パッキン１１を覆い、枠体３２と天井板１８により本体パッキン１１を挟み込むことによっても室内と天井裏との間を遮蔽している。
【００１５】
反射板４は、下面の開口縁部につば部４１を有し、側面上部にソケット６を挿通するための挿通口４２を有する。また、遮熱板３と反射板４との間には、反射板４のつば部４１以外の外面の略全てに亘って空間１５が形成されている。
【００１６】
ソケット６は、反射板４の挿通口４２と、遮熱板３の挿通口３３、及び器具本体２の挿通口２１を横切って、器具本体２の垂直軸に対して所定の角度を成す状態にてソケット台７の一端部に取付けられている。ソケット６が取付けられているソケット台７の一端部は、遮熱板３の挿通口３３を有する側に突出するように配置されており、ソケット台７の他端部は、遮熱板３の上面に取付けられている。
【００１７】
気密パッキン１６は、器具本体２のビス１２に挿通された状態で器具本体２の内部上面に取付けられ、室内と天井裏との間を遮蔽している。
【００１８】
また、室内の気密は、遮熱板３と、本体パッキン１１と、ソケットパッキン１４、及び気密パッキン１６により室内と天井裏との間を遮蔽されることにより確保されている。遮熱板３の全体又は少なくとも枠体３２は、白、黒等の色に塗装されている。反射板４には、アルマイト等の鏡面仕上げ、又は銀スパッタ仕上げ等の反射率の高くなる処理が施されている。
【００１９】
上記構成のダウンライト１の施工手順を次に説明する。天板９を器具本体２から突出した側より埋込穴１９に挿通させ、天井板１８と断熱材２０との間に天板９を挿入させる。天板９全体が天井板１８と断熱材２０との間に挿入され、器具本体２の上面が埋込穴１９を挿通したとき、器具本体２を上方に押し上げる。これにより、天板９が断熱材２０を押し上げる。器具本体２のつば部２２と取付金具１０により埋込穴１９の開口縁部の天井板１８を挟み、器具本体２を固定する。次に、ソケット６を遮熱板３の挿通口３３に挿通させ、遮熱板３の上面に取付けられたソケット台７にソケット６を取り付ける。遮熱板３の内部に反射板４を配置し、ソケット６を反射板４の挿通口４２に挿通させる。続いて、器具本体２の内部に突出したビス１２に、ソケット６及びソケット台７を器具本体２の挿通口２１に挿通させつつ、遮熱板３と反射板４をビス１２に取り付け、ナット１３をビス１２にねじ込み、固定する。最後に、ランプ５をソケット６に装着する。その際、遮熱板３の枠体３２と反射板４のつば部４１とは、略同一面となる。
【００２０】
上記のように構成されたダウンライト１において、ソケット６は、器具本体２を埋込穴１９に埋設後に組み込まれ、且つ挿通口より突出する構造となっているため、埋込穴１９が小さいときにもソケット６を横向き、又は斜め向きに配置することができる。これにより、埋込高さの低減が可能となる。また、器具本体２を埋込穴１９に埋設するときにソケット６が埋込穴１９の開口縁部と干渉しないため、器具本体２を単純な筒型のような形状にできる。
【００２１】
また、室内の気密は、遮熱板３と、ソケットパッキン１４、及び気密パッキン１６により確保されているため気密性能が低下することなく、従来のダウンライト１における反射板４とソケットパッキン１４により気密を確保していたときより、ランプ５が放熱できる空間を大きく確保でき、ランプ５の温度上昇を低減させ、器具外郭、造営材などの温度を低減することが可能となる。また、枠体３２が反射板４のつば部４１と略同一面になっていることにより、ダウンライト１の下面の開口からの放熱による枠体３２付近への熱の影響を低減することができるため、枠表面の温度を低減することが可能となる。
【００２２】
図４は、実施形態２によるダウンライト１を示す。ソケット台７は、天板９と一体に形成されている。器具本体２は、上部をテーパ形状にされている。その他の構成は実施形態１と同等の構成とされている。
【００２３】
上記構成のダウンライト１の施工手順を次に説明する。器具本体２を天井板１８に形成された埋込穴１９に埋設する前に、天板９と一体成形されたソケット台７にソケット６を取り付け、次に、器具本体２を埋込穴１９に挿通し、器具本体２のつば部２２と取付金具１０により埋込穴１９の開口縁部の天井板１８を挟み、固定する。その他の手順は実施形態１と同様の手順とすればよい。
【００２４】
上記のように構成されたダウンライト１において、ソケット６と端子台８の配線部品は、一体で組み立てられるので、作業性が向上し、組立工数を抑えることができる。これにより、コストを抑えることができる。また、器具本体２の上部がテーパ形状にされていることにより、器具本体２を埋込穴１９に埋設するとき、器具本体２から突出するソケット６の部分が埋込穴１９と干渉することを回避しつつ、施工することが可能である。
【００２５】
図５は、実施形態３によるダウンライト１を示し、図６は、同ダウンライト１の反射板４を示す。反射板４は、つば部４１に突起部４１ａが数箇所設けられ、この突起部４１ａのみが遮熱板３と接触し、接触部Ｂと非接触部Ｃが設けられる。その他の構成は実施形態１と同等の構成とされている。
【００２６】
上記のように構成されたダウンライト１において、遮熱板３と反射板４との接触部Ｂが少なくなるので、遮熱板３と反射板４との接触部Ｂから遮熱板３へ伝達する熱を低減できる。また、遮熱板３と反射板４との空間は、密閉されていないため、空間１５の対流により器具外郭、造営材、接触部及び枠表面などの温度が低減される。
【００２７】
図７は、実施形態４によるダウンライト１を示す。遮熱板３は、表面を凹凸形状に形成するためのバッフル加工を施したバッフル部３４を側面下部に有している。反射板４は、遮熱板３の内部に設けられ、且つバッフル部３４より上部に配置されている。その他の構成は実施形態１と同等の構成とされている。
【００２８】
上記のように構成されたダウンライト１は、内部の側面下部にバッフル部３４を有していることにより、反射を抑えることができるため、室内のユーザに対して眩しさを軽減することができる。
【００２９】
図８は、実施形態５によるダウンライト１を示し、図９は、図８のＤ部を拡大して示す。Ｄ部は、ダウンライト１の反射板４の境界部分である。反射板４は、側面下部にバッフル加工が施されたバッフル部４３を有している。このバッフル部４３は、反射板４から分離され、遮熱板３の内部に設けられ、反射板４より下部に配置されている。その他の構成は実施形態１と同等の構成とされている。
【００３０】
上記のように構成されたダウンライト１は、内部の側面下部にバッフル部４３を有していることにより、実施形態４と同様の効果が得られる。バッフル部４３が反射板４から分離されていることにより、バッフル部のみの色変更への対応が容易となる。また、上記実施形態４又は実施形態５の変形例として、ダウンライト１は、図１０に示すように、内部の側面下部を凹凸のないコーン形状部４４とされ、このコーン形状部４４を白色等に塗装したものとしてもよい。
【００３１】
上記各種実施形態のダウンライト１は、気密タイプのものを示したが、非気密タイプとする場合は、器具本体２の変形例として、器具本体２は、図１１に示すように、取付状態における遮熱板３の下面の開口を跨ぐ門型のアングル形状にしてもよい。また、気密タイプとする場合であっても、図１２に示すように、アングル形状の器具本体２の下部に、断面形状がＬ字型であるリング形状の補助枠１７が取り付けられ、この補助枠１７は、下面に外側へ突出するようなつば部１７１を有し、このつば部１７１を覆うように本体パッキン１１が取り付けられた形状にしてもよい。これにより器具本体２への複雑な穴加工が不要となるため、部品コストの低減が可能となる。
なお、本発明は、上記各種実施形態の構成に限られず、発明の趣旨を変更しない範囲で種々の変形が可能である。
【図面の簡単な説明】
【００３２】
【図１】本発明の実施形態１に係るダウンライトの断面図。
【図２】図１のＡ部の拡大図。
【図３】本発明の実施形態１に係る一部分解されたダウンライトの斜視図。
【図４】本発明の実施形態２に係る分解されたダウンライトの斜視図。
【図５】本発明の実施形態３に係るダウンライトの断面図。
【図６】同ダウンライトの反射板の斜視図。
【図７】本発明の実施形態４に係るダウンライトの断面図。
【図８】本発明の実施形態５に係るダウンライトの断面図。
【図９】図８のＢ部の拡大図。
【図１０】本発明の実施形態４又は実施形態５に係るダウンライトの変形例の断面    図。
【図１１】本発明の器具本体の変形例の斜視図。
【図１２】本発明の器具本体のさらに別の変形例の斜視図。
【図１３】従来例のダウンライトの断面図。
【符号の説明】
【００３３】
１  ダウンライト
２  器具本体
３  遮熱板
３１  遮熱本体
３２  枠体
４  反射板
４１  つば部
５  ランプ
６  ソケット
７  ソケット台
９  天板
１５  空間
１８  天井板
１９  埋込穴
【図１】
2007095393.tif 000003
【図２】
2007095393.tif 000004
【図１３】
2007095393.tif 000005
【図３】
2007095393.tif 000006
【図４】
2007095393.tif 000007
【図５】
2007095393.tif 000008
【図６】
2007095393.tif 000009
【図７】
2007095393.tif 000010
【図８】
2007095393.tif 000011
【図９】
2007095393.tif 000012
【図１０】
2007095393.tif 000013
【図１１】
2007095393.tif 000014
【図１２】
2007095393.tif 000015
【手続補正書】
【提出日】平成18年3月28日(2006.3.28)
【手続補正１】
【補正対象書類名】明細書
【補正対象項目名】０００９
【補正方法】変更
【補正の内容】
【０００９】
請求項１の発明によれば、反射板、遮熱板、及び器具本体のそれぞれの間の空間において断熱できるため、ダウンライトの器具外郭温度の低減が可能となる。これにより、器具本体と反射板との間に複数の遮熱板をスペーサにより上下方向に間隔を保って設ける必要がなく、器具高さを抑えることが可能となり、小口径の埋込穴であっても器具の埋め込み高さが抑えられる。また、枠体と遮熱板とを一体成形することにより、部品点数が削減され、組立工数の低減、コストの低減が可能となる。
【手続補正２】
【補正対象書類名】明細書
【補正対象項目名】００１０
【補正方法】変更
【補正の内容】
【００１０】
請求項２の発明によれば、反射板の外面の略全てに亘って形成された空間において断熱できるため、器具の外郭温度が低減される。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
天井板に形成された埋込穴内に埋設され、下面に開口を有する器具本体と、この器具本体の内部に設けられ、熱を遮蔽する遮熱板と、前記遮熱板の内部に設けられ、下面に開口を有し、この開口につば部を有する反射板と、前記反射板の内部に発光部が配置されたランプと、前記ランプを装着するためのソケットと、前記器具本体の開口縁部を覆う枠体と、を備えるダウンライトにおいて、
前記遮熱板と枠体とが一体成形され、
前記反射板と遮熱板との間に略密閉された空間が形成され、
前記ソケットが前記空間を貫いて前記遮熱板に形成された挿通口を挿通して設けられ、
前記挿通口と前記ソケットの間に前記空間内の空気が前記器具本体側へ流出することを防止するソケットパッキンが備えられることを特徴とするダウンライト。
【請求項２】
前記枠体と前記天井板の間に、両者によって挟み込まれるようにして室内と天井裏との間を遮蔽する本体パッキンが設けられることを特徴とする請求項１に記載のダウンライト。
【請求項３】
前記空間は、前記反射板のつば部以外の外面の略全てに亘って形成されていることを特徴とする請求項１又は請求項２に記載のダウンライト。
【請求項４】
前記反射板のつば部と遮熱板の接触が全周でなく、つば部の円周方向に沿って間隔を設けて形成された突起部によって構成されていることを特徴とする請求項１乃至請求項３のいずれか一項に記載のダウンライト。
【手続補正２】
【補正対象書類名】明細書
【補正対象項目名】０００６
【補正方法】変更
【補正の内容】
【０００６】
上記目標を達成するために請求項１の発明は、天井板に形成された埋込穴内に埋設され、下面に開口を有する器具本体と、この器具本体の内部に設けられ、熱を遮蔽する遮熱板と、遮熱板の内部に設けられ、下面に開口を有し、この開口につば部を有する反射板と、反射板の内部に発光部が配置されたランプと、前記ランプを装着するためのソケットと、器具本体の開口縁部を覆う枠体と、を備えるダウンライトにおいて、遮熱板と枠体とが一体成形され、反射板と遮熱板との間に略密閉された空間が形成され、ソケットが空間を貫いて遮熱板に形成された挿通口を挿通して設けられ、挿通口とソケットの間に空間内の空気が器具本体側へ流出することを防止するソケットパッキンが備えられたものである。
【手続補正３】
【補正対象書類名】明細書
【補正対象項目名】０００７
【補正方法】変更
【補正の内容】
【０００７】
請求項２の発明は、請求項１に記載のダウンライトにおいて、枠体と天井板の間に、両者によって挟み込まれるようにして室内と天井裏との間を遮蔽する本体パッキンが設けられるものである。
【手続補正４】
【補正対象書類名】明細書
【補正対象項目名】０００８
【補正方法】変更
【補正の内容】
【０００８】
請求項３の発明は、請求項１又は請求項２に記載のダウンライトにおいて、空間は、反射板のつば部以外の外面の略全てに亘って形成されているものである。
請求項４の発明は、請求項１乃至請求項３のいずれか一項に記載のダウンライトにおいて、反射板のつば部と遮熱板の接触が全周でなく、つば部の円周方向に沿って間隔を設けて形成された突起部によって構成されているものである。
【手続補正５】
【補正対象書類名】明細書
【補正対象項目名】０００９
【補正方法】変更
【補正の内容】
【０００９】
請求項１の発明によれば、反射板、遮熱板、及び器具本体のそれぞれの間の空間において断熱でき、特に反射板と遮熱板との間の空間から器具本体側への空気の流出がソケットパッキンによって防止されるため、ダウンライトの器具外郭温度の低減が可能となる。これにより、器具本体と反射板との間に複数の遮熱板をスペーサにより上下方向に間隔を保って設ける必要がなく、器具高さを抑えることが可能となり、小口径の埋込穴であっても器具の埋め込み高さが抑えられる。また、枠体と遮熱板とを一体成形することにより、部品点数が削減され、組立工数の低減、コストの低減が可能となる。
【手続補正６】
【補正対象書類名】明細書
【補正対象項目名】００１０
【補正方法】変更
【補正の内容】
【００１０】
請求項２の発明によれば、枠体と天井板の間に本体パッキンが設けられるため室内と天井裏とが遮蔽される。
請求項３の発明によれば、反射板の外面の略全てに亘って形成された空間において断熱できるため、器具の外郭温度が低減される。
【手続補正７】
【補正対象書類名】明細書
【補正対象項目名】００１１
【補正方法】変更
【補正の内容】
【００１１】
請求項４の発明によれば、反射板と遮熱板との接触部分が少なくなるので、遮熱板と反射板との接触部から遮熱板へ伝達する熱を低減できる。また、反射板と遮熱板との空間は、密閉されていないため、空間の対流により器具の温度が低減される。
【手続補正８】
【補正対象書類名】図面
【補正対象項目名】図２
【補正方法】変更
【補正の内容】
【図２】
2007095393.tif 000016
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
天井板に形成された埋込穴内に埋設され、下面に開口を有する器具本体と、この器具本体の内部に設けられ、熱を遮蔽する遮熱板と、前記遮熱板の内部に設けられ、下面に開口を有し、この開口につば部を有する反射板と、前記反射板の内部に発光部が配置されたランプと、前記ランプを装着するためのソケットと、前記器具本体の開口縁部を覆う枠体と、を備えるダウンライトにおいて、
前記遮熱板と枠体とが一体成形され、
前記反射板とその外側の遮熱板との間に略密閉された空間が形成され、
前記ソケットが前記空間を貫いて前記遮熱板に形成された挿通口を挿通して設けられ、
前記挿通口と前記ソケットの間に前記空間内の空気が前記器具本体側へ流出することを防止するソケットパッキンが備えられ、
前記枠体と前記天井板の間に、両者によって挟み込まれるようにして室内と天井裏との間を遮蔽する本体パッキンが設けられ、
前記遮熱板と、前記本体パッキンと、前記ソケットパッキンにより室内と天井裏との間が遮蔽されることを特徴とするダウンライト。
【請求項２】
前記空間は、前記反射板のつば部以外の外面の略全てに亘って形成されていることを特徴とする請求項１に記載のダウンライト。
【請求項３】
前記反射板のつば部と遮熱板の接触が全周でなく、つば部の円周方向に沿って間隔を設けて形成された突起部によって構成されていることを特徴とする請求項１又は請求項２に記載のダウンライト。
【手続補正２】
【補正対象書類名】明細書
【補正対象項目名】０００６
【補正方法】変更
【補正の内容】
【０００６】
上記目標を達成するために請求項１の発明は、天井板に形成された埋込穴内に埋設され、下面に開口を有する器具本体と、この器具本体の内部に設けられ、熱を遮蔽する遮熱板と、遮熱板の内部に設けられ、下面に開口を有し、この開口につば部を有する反射板と、反射板の内部に発光部が配置されたランプと、前記ランプを装着するためのソケットと、器具本体の開口縁部を覆う枠体と、を備えるダウンライトにおいて、遮熱板と枠体とが一体成形され、反射板とその外側の遮熱板との間に略密閉された空間が形成され、ソケットが空間を貫いて遮熱板に形成された挿通口を挿通して設けられ、挿通口とソケットの間に空間内の空気が器具本体側へ流出することを防止するソケットパッキンが備えられ、枠体と天井板の間に、両者によって挟み込まれるようにして室内と天井裏との間を遮蔽する本体パッキンが設けられ、遮熱板と、本体パッキンと、ソケットパッキンにより室内と天井裏との間が遮蔽されるものである。
【手続補正３】
【補正対象書類名】明細書
【補正対象項目名】０００７
【補正方法】変更
【補正の内容】
【０００７】
請求項２の発明は、請求項１に記載のダウンライトにおいて、空間は、反射板のつば部以外の外面の略全てに亘って形成されているものである。
【手続補正４】
【補正対象書類名】明細書
【補正対象項目名】０００８
【補正方法】変更
【補正の内容】
【０００８】
請求項３の発明は、請求項１又は請求項２に記載のダウンライトにおいて、反射板のつば部と遮熱板の接触が全周でなく、つば部の円周方向に沿って間隔を設けて形成された突起部によって構成されているものである。
【手続補正５】
【補正対象書類名】明細書
【補正対象項目名】０００９
【補正方法】変更
【補正の内容】
【０００９】
請求項１の発明によれば、反射板、その外側の遮熱板、及び器具本体のそれぞれの間の空間において断熱でき、特に反射板と遮熱板との間の空間から器具本体側への空気の流出がソケットパッキンによって防止されるため、ダウンライトの器具外郭温度の低減が可能となる。これにより、器具本体と反射板との間に複数の遮熱板をスペーサにより上下方向に間隔を保って設ける必要がなく、器具高さを抑えることが可能となり、小口径の埋込穴であっても器具の埋め込み高さが抑えられる。また、枠体と遮熱板とを一体成形することにより、部品点数が削減され、組立工数の低減、コストの低減が可能となる。
【手続補正６】
【補正対象書類名】明細書
【補正対象項目名】００１０
【補正方法】変更
【補正の内容】
【００１０】
請求項２の発明によれば、反射板の外面の略全てに亘って形成された空間において断熱できるため、器具の外郭温度が低減される。
【手続補正７】
【補正対象書類名】明細書
【補正対象項目名】００１１
【補正方法】変更
【補正の内容】
【００１１】
請求項３の発明によれば、反射板と遮熱板との接触部分が少なくなるので、遮熱板と反射板との接触部から遮熱板へ伝達する熱を低減できる。また、反射板と遮熱板との空間は、密閉されていないため、空間の対流により器具の温度が低減される。